(57)【要約】      （修正有）【課題】複数本のチェーンを並列させて使用するループ状身飾品に用いることにより、装着時におけるチェーンの乱れを確実に防止して、その整然とした並列状態を保持し得るチェーン整列保持用クリップを提供する。【解決手段】紐状芯線に適宜間隔置きにカプセルを配置して成るチェーンを複数並列させて用いるループ状身飾品における前記複数本のチェーンを横並びに整列保持するためのクリップ３１であって、一端が弾性を有する折り返し部３４を介して連結された上辺３２と下辺３３とから成り、上辺３２と下辺３３の開放端３５の間隔が芯線の径よりも若干狭く、上辺３２と下辺３３間に、開放端３５から導入される複数本のチェーンの芯線を並列状態にて抱持するための空間部が確保されて成る。【選択図】図２
0003208126.tif 000002
【実用新案登録請求の範囲】
【請求項１】
紐状芯線に適宜間隔置きにカプセルを配置して成るチェーンを複数並列させて用いるループ状身飾品における前記複数本のチェーンを横並びに整列保持するためのクリップであって、前記クリップは、一端が弾性を有する折り返し部を介して連結された上辺と下辺とから成り、前記上辺と下辺の開放端の間隔が前記芯線の径よりも若干狭く、前記上辺と下辺間に、前記開放端から導入される前記複数本のチェーンの芯線を並列状態にて抱持するための空間部が確保されて成る複数本のチェーン整列保持用クリップ。
【請求項２】
前記上辺と下辺並びに折り返し部は、一連の金属材又は硬質樹脂材製である、請求項１に記載のチェーン整列保持用クリップ。
【請求項３】
前記上辺と下辺間の空間部の横幅は、導入される前記複数本のチェーンの数に対応する幅とされる、請求項１又は２に記載のチェーン整列保持用クリップ。
【考案の詳細な説明】
【技術分野】
【０００１】
本考案は、チェーン整列保持用クリップに関するものであり、より詳細には、ネックレス、ブレスレット等のアクセサリーとして、あるいは、磁気ネックレス等の磁気治療用製品として首又は手首に装着して用いるループ状身飾品における複数本のチェーンを、整然と並列させてその状態を保持するためのクリップに関するものである。
【背景技術】
【０００２】
上記ループ状身飾品としては、ネックレスやブレスレットがあるが、その多くはサイズが決まっていて、利用者がループサイズを装着の都度任意に変更し得る構成とはなっていない。なお、全体的に伸縮性を持たせてループサイズの変更を可能にしたものがあるが、それは、装着に際してループサイズを広げることを可能にするに過ぎないものであり、装着操作後は元のサイズに縮まってしまう。
【０００３】
そこで本考案者は、ループ状身飾品として、チェーンとその一端に着脱可能に取り付けられるクランプ金具とで構成され、クランプ金具で複数本のチェーンの他端側の所望の位置をクランプさせることにより、所望のサイズのループの形成が可能な製品を開発した。このループ状身飾品は、複数本のチェーンを並列させて使用するものであるが、装着時にその複数本のチェーンが乱れて見た目が悪くなるおそれがある。特にチェーンとして磁気チェーンを用いる場合には、チェーン同士が磁着し合ってもつれるため、その整然とした並列状態の維持が困難となりやすい。
【先行技術文献】
【特許文献】
【０００４】
【特許文献１】特開２００８−３６３８８号公報
【特許文献２】特開平７−１１６００７号公報
【考案の概要】
【考案が解決しようとする課題】
【０００５】
上述したように、複数本のチェーンを並列させて使用するループ状身飾品の場合、装着時にその複数本のチェーンが乱れて見た目が悪くなるおそれがあり、特にチェーンとして磁気チェーンを用いる場合にその傾向が強い。
【０００６】
そこで、本考案はそのような問題のない、即ち、複数本のチェーンを並列させて使用するループ状身飾品に用いることにより、装着時におけるチェーンの乱れを確実に防止して、その整然とした並列状態を保持し得るチェーン整列保持用クリップを提供することを課題とする。
【課題を解決するための手段】
【０００７】
上記課題を解決するための請求項１に記載の考案は、紐状芯線に適宜間隔置きにカプセルを配置して成るチェーンを複数並列させて用いるループ状身飾品における前記複数本のチェーンを横並びに整列保持するためのクリップであって、前記クリップは、一端が弾性を有する折り返し部を介して連結された上辺と下辺とから成り、前記上辺と下辺の開放端の間隔が前記芯線の径よりも若干狭く、前記上辺と下辺間に、前記開放端から導入される前記複数本のチェーンの芯線を並列状態にて抱持するための空間部が確保されて成る複数本のチェーン整列保持用クリップである。
【０００８】
一実施形態においては、前記上辺と下辺並びに折り返し部は、一連の金属材又は硬質樹脂材製とされ、また、前記上辺と下辺間の空間部の横幅は、導入される前記複数本のチェーンの数に対応する幅とされる。
【考案の効果】
【０００９】
本考案に係るチェーン整列保持用クリップは上記のとおりであって、該クリップは、一端が連結された上辺と下辺とから成り、前記上辺と下辺の開放端の間隔が前記芯線の径よりも若干狭く、前記上辺と下辺間に導入される前記複数本のチェーンの芯線を並列状態にて抱持するための空間部が確保されているので、並列状態にあるチェーンのカプセル間の間隙に横方向から押し込むことにより、並列されたすべてのチェーンの芯線を上辺と下辺の間に収めることができ、以て、複数本のチェーンを並列状態に整列させてその状態を保持し、当該ループ状身飾品の装着時にチェーンの整列状態が乱れて体裁が悪くなることを確実に防止し得る効果がある。
【００１０】
本考案に係るチェーン整列保持用クリップは、特に、チェーンが互いに磁着し合ってもつれやすい磁気チェーンである場合に有効なものである。
【図面の簡単な説明】
【００１１】
【図１】本考案に係るクリップを用いるループ状身飾品の構成例を示す斜視図である。
【図２】本考案に係るクリップの構成及び使用方法を示す斜視図である。
【図３】本考案に係るクリップを用いたループ状身飾品の使用状態を示す正面図である。
【考案を実施するための形態】
【００１２】
本考案に係るチェーン整列保持用クリップ（以下「クリップ３１とする」）は、ネックレスやブレスレット等のアクセサリーとして、あるいは、磁気ネックレス等の磁気治療用製品として、首又は手首に装着して用いられるループ状身飾品の付属部品として用いられるものである。そこで先ず、クリップ３１の使用対象となるループ状身飾品の構成から説明していく。
【００１３】
クリップ３１の使用対象となるループ状身飾品は、チェーン１とその一端に着脱可能に取り付けられるクランプ金具１１とで構成されるもので、クランプ金具１１は開閉動作して複数本のチェーン１の任意の位置をクランプ可能な構成とされ、クランプ金具１１で複数本のチェーン１の他端側の所望の位置をクランプさせることにより、所望のサイズのループ形成が可能となるものである（図１参照）。
【００１４】
そこにおいて用いられるチェーン１は、紐状芯線２に適宜間隔置きにカプセル３を配置したもので、カプセル３を芯線２に固定したものと、カプセル３に芯線２を挿通して芯線２に対して移動可能にしたものとが含まれる。そのいずれの場合においても、各カプセル３間に若干の間隙４が確保されるように構成され、本考案に係るクリップ３１は、この間隙４から差し込まれることになる。磁気治療用用途の場合は、カプセル３として永久磁石を内蔵した磁気カプセルが用いられる。
【００１５】
クランプ金具１１は、基本的構成として、ヒンジ１２を介して連結される下側ピース１３と上側ピース１４とを含み、下側ピース１３のヒンジ１２側と反対側部分に、チェーン１の一端部を着脱可能に取り付けるための連結手段２６，２９が設置される。用いられるチェーン１の本数はまちまちであり、図１及び図３に示される例では３本、図２に示される例では５本とされている。
【００１６】
以上いずれの場合においても、ループ状身飾品を装着するに当たっては、クランプ金具１１を開いた状態で複数本のチェーン１を首（又は手首）に回し、所望のループ径を得るために、チェーン１の所望個所をクランプ金具１１の下側ピース１３上に載せ（図１の状態）、その状態で上側ピース１４を閉じることにより、チェーン１は、確固とクランプされてそのずれ動き（抜け）が抑止されてそのループ径が保持され、安定した状態での着用が可能となる（図３参照）。なお、下側ピース１３と上側ピース１４の内側面にはそれぞれ、カプセル３間の間隙４に入り込むことによりチェーン１のズレを阻止するための突条１５，１６が形成される。
【００１７】
このように複数本のチェーンを並列させて使用するループ状身飾品の場合、装着時にその複数本のチェーンが乱れて見た目が悪くなるおそれがあり、特にチェーンとして磁気チェーンを用いる場合にその傾向が強い。そこで、複数本のチェーン１を整然と横並びに保持するために、本考案に係るクリップ３１を用いる。
【００１８】
クリップ３１は、とげ抜き具の如き形状のもので、一端が弾性を有する折り返し部３４を介して連結された上辺３２と下辺３３とから成り、上辺３２と下辺の開放端３５の間隔が芯線２の径よりも若干狭くなるように設定され、上辺３２と下辺３３間に、開放端３５から導入される複数本のチェーン１の芯線２を並列状態にて抱持するための空間部３６が確保されて成る。上辺３２と下辺３３並びに折り返し部３４は、一連の金属材又は硬質樹脂材製である。また、空間部３６の横幅は、導入される複数本のチェーン１の数に対応する幅とされる、チェーン１抱持後に空隙が生じないようにされる。
【００１９】
クリップ３１は、カプセル３間の間隙４に横方向から押し込み、並置されたすべてのチェーン１の芯線２をその開放端３４から空間部３６内に、並列状態のまま導入させる（図２参照）。このようにして横並びにした複数本のチェーン１にクリップ３１を組み付けることにより、チェーン１がバラけることを防止することができ、また、チェーン１が磁気チェーンの場合、着用時にチェーン１同士が磁着し合ってよじれ、体裁が悪くなることが確実に防止される。
【符号の説明】
【００２０】
１    チェーン
２    芯線
３    カプセル
４    間隙
１１    クランプ金具
１２    ヒンジ
１３    下側ピース
１４    上側ピース
１５，１６    突条
３１    クリップ
３２    上辺
３３    下辺
３４    折り返し部
３５    開放端
３６    空間部
【図１】
0003208126.tif 000003
【図２】
0003208126.tif 000004
【図３】
0003208126.tif 000005